(57)【要約】      （修正有）【課題】カラーデザインに優れた工具用グリップを高い生産性で提供する。【解決手段】ドライバー１０は、射出成型により形成され、一方の端面に中空孔を穿設した無色透明または有色透明の合成樹脂製のグリップ３０と、グリップ３０の中空孔内に嵌入され固定された接合軸２２を備えた剛性部２０とを備え、中空孔の内周面が合成樹脂に対して染色性の優れた染料により合成樹脂の色彩とは異なる色彩に着色されている。グリップ３０表面は、染料で着色された中空孔の径よりも大きく視認可能な、凹部領域３３Ｂと凸部領域３３Ａとを含む形状に形成されている。【選択図】図１
0003192657.tif 000002
【実用新案登録請求の範囲】
【請求項１】
人の手により把持される工具に適した工具用グリップであって、
前記クリップは、合成樹脂製であって、人の手で把持されるのに適した所望の形状で形成され、
前記合成樹脂は、所望の形状に形成された後の色彩が無色透明または有色透明であって、
前記合成樹脂に対して着色性の優れた着色剤により、前記グリップの少なくとも一部が前記合成樹脂の色彩とは異なる色彩に着色されていることを特徴とする工具用グリップ。
【請求項２】
前記着色剤は、染料であることを特徴とする、請求項１に記載の工具用グリップ。
【請求項３】
前記グリップを見た人の視覚により工具の種類が認識可能なように、前記グリップの少なくとも一部が着色されていることを特徴とする、請求項１または請求項２に記載の工具用グリップ。
【請求項４】
前記グリップにおいて、人の手と当接する部分が、着色されていることを特徴とする、請求項１〜請求項３のいずれかに記載の工具用グリップ。
【請求項５】
前記グリップにおいて、人の手と当接しない部分が、着色されていることを特徴とする、請求項１〜請求項３のいずれかに記載の工具用グリップ。
【請求項６】
前記グリップは略円筒状の形状を備え、一方の端面には、前記工具の一部である接合軸が嵌入されて前記工具の作用領域がグリップに固定される中空孔が穿設され、
前記グリップの中空孔内の少なくとも一部が着色されていることを特徴とする、請求項５に記載の工具用グリップ。
【請求項７】
前記中空孔の深さは前記接合軸の嵌入長さよりも長く、
前記中空孔の接合軸が嵌入されていない部分が少なくとも着色されていることを特徴とする、請求項６に記載の工具用グリップ。
【請求項８】
前記グリップ表面は、人の手で把持されるのに適した所望の形状、かつ、前記着色剤で着色された中空孔の径よりも大きく視認可能な形状に、形成されていることを特徴とする、請求項６または請求項７に記載の工具用グリップ。
【請求項９】
前記合成樹脂内に入射した光の屈折により、前記着色剤で着色された中空孔の径よりも大きく視認可能であることを特徴とする、請求項８に記載の工具用グリップ。
【請求項１０】
前記合成樹脂内に入射した光が乱反射することより、前記着色剤で着色された中空孔の径よりも大きく視認可能であることを特徴とする、請求項８に記載の工具用グリップ。
【請求項１１】
前記グリップの外周面は、凹部領域と凸部領域とが周方向に繰り返し連続して形成され、これらの領域における光の挙動により、前記着色剤で着色された中空孔の径よりも大きく視認可能であることを特徴とする、請求項９または請求項１０に記載の工具用グリップ。
【請求項１２】
請求項１〜請求項１１のいずれかに記載の工具用グリップを備えた工具。
【考案の詳細な説明】
【技術分野】
【０００１】
本考案は、ドライバー、ハンマー、ワイヤストリッパーというような手動で操作される工具に適したグリップ（握り手、握柄）であって、特に、工具の種類を視覚により確認しやすいカラーデザインを備えたグリップおよびそのグリップを備えた工具に関する。
【背景技術】
【０００２】
従来、手動で操作される工具として、工具本体（作用領域）である剛性部（ドライバーであれば接合部としての軸部を備えた螺旋嵌合部、ハンマーであれば接合部としての軸部を備えた打撃部）と、この剛性部に固定されて人の手で把持される柄部（ドライバーおよびハンマーにおいて略円筒状に形成され軸部に固定されるグリップ）とを備える工具が一般的に知られている。そして、このような工具におけるグリップはその量産性の容易さから合成樹脂（プラスチック等）が多く用いられている。
【０００３】
このようなグリップを単色ではなく多色（二色、複数色）で構成する場合には、押し出し二色成型で、棒状の二色成型品を製作し、この後に切削加工によって人の手で把持されるのに適した所望の形状（人の手にフィットする握りやすく力を加えやすい形状）に加工されていた。しかしながら、このようなグリップは金型が不要であるが、成型品の形状に限界があるため、手にフィットする形状に製作するには、前述のように切削加工しなければならず、製造工程が増えてそれだけ量産性に劣りコスト高となる欠点があった。
【０００４】
一方、インジェクション成型によりグリップを成型すれば、金型を必要とするものの人の手にフィットする形状など自由な形状に成型できる。しかしながら、インジェクション成型で多色成型するためには非常に高価な混色成型機が必要であって、さらに、グリップに着色するような均一なデザイン性を求める場合は非常に厳しい条件合わせが必要になったり、２本の射出シリンダーに別々の樹脂を流すため段取り替え等の作業が増加するので製造効率が低かったりするために、インジェクション成型によりカラフルな二色構成のグリップを製造することには課題が多く現実的でない。
【０００５】
特開平５−０６９３４７号公報（特許文献１）は、このような欠点を解決するものであって、インジェクション成型によって握柄の形状を所望の形状に形成するとともに、二色構成または多色構成のグリップ（工具握柄）を開示する。この工具握柄は、インジェクション成型により基端面より中程近くまで中空孔を穿設した透明または半透明の握柄本体を形成し、この握柄本体の中空孔内に、基端に握柄本体の基端面に係止する鍔体を設けた着色挿入体を挿入止着したことを特徴とする。このように工具握柄によると、インジェクション成形によって握柄の形状を所望の形状に形成することができるとともに、インジェクション成形でありながら握柄本体の内部に挿入する着色挿入体が外部より透き通って見えるので二色構成ないしはカラフルな多色構成の工具握柄を実現することができる。
【先行技術文献】
【特許文献】
【０００６】
【特許文献１】特開平５−０６９３４７号公報
【考案の概要】
【考案が解決しようとする課題】
【０００７】
しかしながら、特許文献１に開示された工具握柄は、透明または半透明の握柄本体と着色挿入体とを製造して、着色挿入体を握柄本体の内部に挿入して製造しなければならないために、カラーデザインが優れているとしても、部品点数が多く製造工程が多く量産性に劣りコスト高となる欠点が依然として存在する。
本考案の目的は、このような問題点に鑑み、手動で操作される工具に適した工具用グリップであって量産性および意匠性（カラーデザイン）に優れた工具用グリップ、および、その工具用グリップを備えた工具を提供することである。
【課題を解決するための手段】
【０００８】
上述した目的を達成するため、本考案においては以下の技術的手段を講じた。
すなわち、本考案に係る工具用グリップは、人の手により把持される工具に適した工具
用グリップであって、前記クリップは、合成樹脂製であって、人の手で把持されるのに適した所望の形状で形成され、前記合成樹脂は、所望の形状に形成された後の色彩が無色透明または有色透明であって、前記合成樹脂に対して着色性の優れた着色剤により、前記グリップの少なくとも一部が前記合成樹脂の色彩とは異なる色彩に着色されていることを特徴とする。
【０００９】
好ましくは、前記着色剤は、染料であるように構成することができる。
さらに好ましくは、前記グリップを見た人の視覚により工具の種類が認識可能なように、前記グリップの少なくとも一部が着色されているように構成することができる。
さらに好ましくは、前記グリップにおいて、人の手と当接する部分が、着色されているように構成することができる。
【００１０】
さらに好ましくは、前記グリップにおいて、人の手と当接しない部分が、着色されているように構成することができる。
さらに好ましくは、前記グリップは略円筒状の形状を備え、一方の端面には、前記工具の一部である接合軸が嵌入されて前記工具の作用領域がグリップに固定される中空孔が穿設され、前記グリップの中空孔内の少なくとも一部が着色されているように構成することができる。
【００１１】
さらに好ましくは、前記中空孔の深さは前記接合軸の嵌入長さよりも長く、前記中空孔の接合軸が嵌入されていない部分が少なくとも着色されているように構成することができる。
さらに好ましくは、前記グリップ表面は、人の手で把持されるのに適した所望の形状、かつ、前記着色剤で着色された中空孔の径よりも大きく視認可能な形状に構成することができる。
【００１２】
さらに好ましくは、前記合成樹脂内に入射した光の屈折により、前記着色剤で着色された中空孔の径よりも大きく視認可能であるように構成することができる。
さらに好ましくは、前記合成樹脂内に入射した光が乱反射することより、前記着色剤で着色された中空孔の径よりも大きく視認可能であるように構成することができる。
さらに好ましくは、前記グリップの外周面は、凹部領域と凸部領域とが周方向に繰り返し連続して形成され、これらの領域における光の挙動により、前記着色剤で着色された中空孔の径よりも大きく視認可能であるように構成することができる。
【００１３】
また、本考案に係る工具は、上述した特徴を備えた工具用グリップを備えて構成するものである。
【考案の効果】
【００１４】
本考案によれば、手動で操作される工具に適した工具用グリップであって量産性および意匠性（カラーデザイン）に優れた工具用グリップ、および、その工具用グリップを備えた工具を提供することができる。
【図面の簡単な説明】
【００１５】
【図１】本考案の実施の形態に係るドライバーの側面図である。
【図２】図１のドライバーの拡大正面図であって（Ａ）は螺旋嵌合部側、（Ｂ）および（Ｃ）はグリップ端部側である。
【図３】図２（Ｃ）に示す３−３断面図である。
【図４】図３の拡大図である。
【図５】図４に示す５−５断面図である。
【考案を実施するための形態】
【００１６】
以下、本考案の実施の形態に係る工具用グリップおよびその工具用グリップを備えた工具を、図面に基づき詳しく説明する。なお、以下の説明では、同一の部品（部分）には同一の符号を付してある。それらの名称及び機能も同じである。したがって、それらについての詳細な説明は繰り返さない。また、本実施の形態に係る工具は、ドライバー（螺旋回し）をその一例として説明しているが、ハンマー、ワイヤストリッパーというような手動で操作される他の工具であっても構わない。
【００１７】
図１は本考案の実施の形態に係るドライバー１０の側面図であって、図２（Ａ）〜（Ｃ
）はドライバー１０の拡大正面図であって（Ａ）は螺旋嵌合部側、（Ｂ）は識別マークがある場合のグリップ端部側、（Ｃ）は識別マークがない場合のグリップ端部側をそれぞれ示す。そして、図３は図２（Ｃ）に示す３−３断面図であって、図４は図３の拡大図であって、図５は接合軸２２を嵌入する前の図４に示す５−５断面図である。
【００１８】
このドライバー１０は、これらの図１〜図５に示すように、人の手で把持されるグリップ３０を備えた工具であって、射出成型により形成され、一方の端面に中空孔を穿設したグリップ３０と、グリップ３０の中空孔内に嵌入され固定された接合軸２２を備えた作用領域である螺旋嵌合部２１を含む剛性部２０とを備える。グリップ３０は、合成樹脂製であって人の手で把持されるのに適した所望の形状で形成され、合成樹脂は、所望の形状に形成された後の色彩が無色透明または有色透明であることを特徴とする。そして、合成樹脂に対して着色性の優れた着色剤により、グリップ３０の少なくとも一部が合成樹脂の色彩とは異なる色彩に着色されていることを特徴とする。
【００１９】
ここで、本実施の形態における着色剤は染料であるとして説明するが、本発明はこれに限定されるものではない。グリップ３０の素材である合成樹脂に対して着色性の優れた着色剤であればよく、たとえば、染料以外の顔料、塗料（顔料系塗料を含む）等であってもよく、さらには、カラークリア（カラークリスタル）の着色剤であっても、メタリック色の着色剤等であっても構わない。
【００２０】
さらに、合成樹脂の色彩とは異なる色彩とは、合成樹脂の色彩が無色透明の場合には合成樹脂が無彩色であるので色彩を備える色（有彩色）であればどんな色も含むことを意味し、合成樹脂の色彩が有色透明の場合には合成樹脂が有彩色であるので合成樹脂の色彩と異なる色彩の色（合成樹脂の有彩色以外の有彩色）であればどんな色も含むことを意味する。なお、無色透明とはいわゆるクリア（クリスタル）であって、有色透明とはいわゆるカラークリア（カラークリスタル）である。
【００２１】
なお、このようにグリップ３０の少なくとも一部が着色されていることにより、グリップ３０を見た人の視覚により工具の種類が認識できるように、すなわち、この工具がプラスドライバーであるのかマイナスドライバーであるのか、ドライバーの場合どの程度の刃先の大きさ（ＪＩＳ  Ｂ４６３３で規定するどの呼び番号）であるのかが認識できるようになる。また、図２（Ｂ）に示すように、このドライバー１０の作用領域とは逆側のグリップ３０端部（端面）には、識別マーク３４Ａを付するようにすることも好ましい。図２（Ｂ）に示す識別マーク３４Ａは、「ＪＩＳ  Ｂ４６３３の呼び番号２番」のプラスドライバーであることを示している。
【００２２】
ここで、このドライバー１０においては、後述するように、グリップ３０は略円筒状の形状を備え、一方の端面には、工具の一部である接合軸２２が嵌入されて工具の作用領域である螺旋嵌合部２１を含む剛性部２０がグリップ３０に固定される中空孔３３Ｃが穿設されており、グリップ３０の中空孔３３Ｃ内の少なくとも一部が着色されていることを特徴とする。すなわち、このドライバー１０は、グリップ３０において、人の手と当接しない部分が、着色されていることを特徴とする。このように人の手と当接しない部分を着色したため、経時変化による着色の剥がれ等を防止する必要がない点で好ましい。しかしながら、グリップ３０において、人の手と当接する部分が、着色されていても構わない。
【００２３】
剛性部２０は、グリップ３０に接合される接合部としての接合軸２２（工具軸）を備えた螺旋嵌合部２１を備える。接合軸２２は、長手方向における他方側の端部に、螺旋の頭に設けられる溝に嵌合される（作用領域である）螺旋嵌合部２１を備える。なお、本実施の形態において、螺旋嵌合部２１は、螺旋の頭に設けられる十字状の溝に嵌合されるべく十字状（プラス形状）に形成されているが、これに限定されるものではなく、螺旋の頭に設けられる−字状の溝に嵌合されるべく−字状（マイナス形状）に形成されているものであっても構わない。また、接合軸２２には、グリップ３０からの抜け止めおよび回転を防止すべく、中空孔３３Ｃで係止されるための軸径よりも大径の羽根状の係止部２２Ａを備える。なお、接合軸２２は、金属で形成されている。
【００２４】
グリップ３０は、接合軸２２に嵌合して剛性部２０を固定する略円筒状の形状を備えて形成されて、一方の端面には、中空孔３３Ｃが穿設されており、この中空孔３３Ｃの深さ
は接合軸２２の嵌入長さよりも長く、グリップ３０の中空孔２２内の少なくとも一部が着色されている。たとえば、この中空孔３３Ｃの深さは、グリップ３０の長さの８０％程度以上であってグリップ３０を貫通していない。また、中空孔３３Ｃの深さの３０％程度まで接合軸２２が嵌入されている。なお、この中空孔３３Ｃの深さおよび接合軸２２が嵌入されていない部分の太さは、深さが深く太さが太いほどグリップ３０の重量を軽減できる点と材料費を節約できる点とで好ましいが、太さが太いと剛性が落ちる点と肉厚の差が大きい射出成型となる点とで好ましくない。
【００２５】
ここで、本実施の形態に係るドライバー１０においては、図４および図５に示すように、嵌入部分および嵌入されていない部分が着色された着色領域３３Ｄを備えたグリップ３０を有する。しかしながら、これに限定されるものではなく、嵌入されていない部分のみが着色されたグリップであっても構わないし、嵌入部分のみ着色されたグリップであっても構わない。カラーデザインを考慮して、着色領域３３Ｄが決定される。
【００２６】
以下において、さらに詳しく、この着色されたグリップ３０について説明する。このグリップ３０は、図１に示すように、大略的には、作用領域側から嵌入部３１、細胴部３２、グリップ部３３、基端部３４で構成される。細胴部３２および基端部３４は、多面体状にカットされたように形成されている。また、図２（Ａ）に示すように、嵌入部３１は、傾斜面にこのドライバー１０を載置しても転がらないように、円筒部３１Ｂの一部が面取りされた面取部３１Ａを備える。
【００２７】
そして、図３に示すように、このグリップ３０には、接合軸２２が嵌入される、中空孔３３Ｃが穿設されるとともに、その中空孔３３Ｃの内側全体に亘って、合成樹脂に対して染色性の優れた染料で着色された着色領域３３Ｄを備える。この着色領域３３Ｄは、接合軸２２を嵌入する前に着色される。なお、接合軸２２をグリップ３０に嵌入して固定する方法自体およびグリップ３０を形成する合成樹脂に対する染色性の優れた染料で着色領域３３Ｄを着色する方法自体については公知の方法が用いられる。ここで、染料で着色領域３３Ｄを着色する方法については、グリップ３０に接合軸２２を嵌入する前であってグリップ３０が中空孔３３Ｃを備えた状態で、たとえば中空孔３３Ｃの開口部を鉛直上方へ向けておいて中空孔３３Ｃへ着色領域３３Ｄの面積分に対応する染料の量よりも若干多い量の染料を投入して、グリップ３０を傾斜および／または回転させて、その中空孔３３Ｃの内側全体（内周面全体）に亘る着色領域３３Ｄを着色するようにするだけでよく、着色領域３３Ｄを非常に簡易に製造（実現）することができる。
【００２８】
図１および図２に示すように、グリップ部３３の外周面は、人の手で把持されるのに適するように、凹部領域３３Ｂと凸部領域３３Ａとが周方向に繰り返し連続して形成されている。凹部領域３３Ｂの表面は曲面であって凸部領域３３Ａの表面は曲面であって、それらの曲面は円筒状等の一つの曲率で構成される曲面ではない。さらに、凹部領域３３Ｂと凸部領域３３Ａとは、滑らかな曲面（連結曲面）で繋がれている。凹部領域３３Ｂと凸部領域３３Ａとで表面の曲率が異なることはもちろんのこと、凹部領域３３Ｂおよび凸部領域３３Ａとこれらを繋ぐ連結曲面とも曲率が異なり、曲率が異なる曲面であって、光学的に複雑な曲面が連続して形成されている。そして、このグリップ部３３は、無色透明または有色透明の合成樹脂で成型されているので、光が入射する。グリップ部３３内に入射した光（自然光（太陽光）、人工光（電灯光））が着色領域３３Ｄで反射して、その反射光を人の視覚が感知して着色領域３３Ｄの色彩（有彩色）を認識することになる。
【００２９】
ここで、合成樹脂で成型されたグリップ部３３内に入射した光が着色領域３３Ｄで反射してグリップ部３３外部へ出射する場合には、曲率が異なる凹部領域３３Ｂと凸部領域３３Ａと連結曲面とでは異なる屈折率であるので、グリップ部３３から出射する光が一様な方向に屈折するのではなく多様な方向へ屈折することになる。このため、染料で着色された中空孔３３Ｃの径よりも大きく視認可能になる。
【００３０】
また、合成樹脂で成型されたグリップ部３３内に入射した光が着色領域３３Ｄで反射してグリップ部３３外部へ出射する場合には、その一部の光はグリップ部３３の表面境界で反射して内部へ戻される。しかも、曲率が異なる凹部領域３３Ｂと凸部領域３３Ａと連結曲面とでは異なる反射率であるので、出射する光（の一部）がグリップ部３３内で乱反射
することより、染料で着色された中空孔３３Ｃの径よりも大きく視認可能になる。
【００３１】
また、細胴部３２および基端部３４は、多面体状にカットされたように形成されているために、グリップ部３３と同じように、光の屈折や光の乱反射により、染料で着色された中空孔３３Ｃの径よりも大きく視認可能になる。
ここで、染料で着色された中空孔３３Ｃの径よりも大きく視認可能になるとは、たとえば、中空孔３３Ｃの径がφ５ｍｍの場合に、５ｍｍよりも太く見えるようにできるという意味である。
【００３２】
以上のようにして、本実施の形態に係るドライバー１０およびそのグリップ３０においては、人の手で把持されるのに適するように、かつ、染料で着色された中空孔３３Ｃの径よりも大きく視認可能になるように、外周面が成型されている。このため、手動で操作される工具に適した工具用グリップであって意匠性（カラーデザイン）に優れた工具用グリップ、および、その工具用グリップを備えた工具を高い生産性で（優れた量産性で）提供することができる。
【００３３】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３４】
本考案は、ドライバー、ハンマー、ワイヤストリッパーといった手動で操作される工具に好適に適用することができ、特に、意匠性（カラーデザイン）に優れた工具用グリップを高い生産性で提供する点で好適に適用することができる。
【符号の説明】
【００３５】
１０ドライバー
２０  剛性部
２１  螺旋嵌合部
２２  接合軸
３０  グリップ部
【図１】
0003192657.tif 000003
【図２】
0003192657.tif 000004
【図３】
0003192657.tif 000005
【図４】
0003192657.tif 000006
【図５】
0003192657.tif 000007
【手続補正書】
【提出日】平成26年6月23日(2014.6.23)
【手続補正１】
【補正対象書類名】実用新案登録請求の範囲
【補正対象項目名】全文
【補正方法】変更
【補正の内容】
【実用新案登録請求の範囲】
【請求項１】
人の手により把持される工具に適した工具用グリップであって、
前記グリップは、合成樹脂製であって、人の手で把持され、略円筒状の形状で形成され、
前記合成樹脂は、前記形状に形成された後の色彩が無色透明または有色透明であって、
前記合成樹脂に対して着色性の優れた着色剤により、前記グリップの少なくとも一部が前記合成樹脂の色彩とは異なる色彩に着色されていることを特徴とする工具用グリップ。
【請求項２】
前記着色剤は、染料であることを特徴とする、請求項１に記載の工具用グリップ。
【請求項３】
前記グリップを見た人の視覚により工具の種類が認識可能なように、前記グリップの少なくとも一部が着色されていることを特徴とする、請求項１または請求項２に記載の工具用グリップ。
【請求項４】
前記グリップにおいて、人の手と当接する部分が、着色されていることを特徴とする、請求項１〜請求項３のいずれかに記載の工具用グリップ。
【請求項５】
前記グリップにおいて、人の手と当接しない部分が、着色されていることを特徴とする、請求項１〜請求項３のいずれかに記載の工具用グリップ。
【請求項６】
前記グリップの一方の端面には、前記工具の一部である接合軸が嵌入されて前記工具の作用領域がグリップに固定される中空孔が穿設され、
前記グリップの中空孔内の少なくとも一部が着色されていることを特徴とする、請求項５に記載の工具用グリップ。
【請求項７】
前記中空孔の深さは前記接合軸の嵌入長さよりも長く、
前記中空孔の接合軸が嵌入されていない部分が少なくとも着色されていることを特徴とする、請求項６に記載の工具用グリップ。
【請求項８】
前記グリップ表面は、略円筒状の形状、かつ、前記着色剤で着色された中空孔の径よりも大きく視認可能な形状に、形成されていることを特徴とする、請求項６または請求項７に記載の工具用グリップ。
【請求項９】
前記合成樹脂内に入射した光の屈折により、前記着色剤で着色された中空孔の径よりも大きく視認可能であることを特徴とする、請求項８に記載の工具用グリップ。
【請求項１０】
前記合成樹脂内に入射した光が乱反射することより、前記着色剤で着色された中空孔の径よりも大きく視認可能であることを特徴とする、請求項８に記載の工具用グリップ。
【請求項１１】
前記グリップの外周面は、凹部領域と凸部領域とが周方向に繰り返し連続して形成され、これらの領域における光の挙動により、前記着色剤で着色された中空孔の径よりも大きく視認可能であることを特徴とする、請求項９または請求項１０に記載の工具用グリップ。
【請求項１２】
請求項１〜請求項１１のいずれかに記載の工具用グリップを備えた工具。